(57)【要約】【課題】  この発明は、プレゼンテーションで提示された画面内容を、聴講者に容易に配布することができる表示装置を提供することを目的とする。【解決手段】  表示されている画像データを記憶している記憶手段、赤外線通信機能付きの携帯型電話機と赤外線通信を行うための赤外線インターフェイス、および赤外線インターフェイスを介して赤外線通信機能付きの携帯型電話機から画像伝送要求コマンドを受信したときに、上記記憶手段に記憶されている画像データを赤外線インターフェイスを介して赤外線送信させる手段を備えている。【選択図】  図１
2005217460.tif 000002
【特許請求の範囲】
【請求項１】
表示されている画像データを記憶している記憶手段、
赤外線通信機能付きの携帯型電話機と赤外線通信を行うための赤外線インターフェイス、および
赤外線インターフェイスを介して赤外線通信機能付きの携帯型電話機から画像伝送要求コマンドを受信したときに、上記記憶手段に記憶されている画像データを赤外線インターフェイスを介して赤外線送信させる手段、
を備えていることを特徴とする表示装置。
【請求項２】
赤外線通信機能付きの携帯型電話機と赤外線通信を行うための赤外線インターフェイス、および
赤外線インターフェイスを介して赤外線通信機能付きの携帯型電話機から画像受信要求コマンドを受信した後に、赤外線インターフェイスを介して上記赤外線通信機能付きの携帯型電話機から画像データが送られてきたときに、当該画像を受信して表示させる手段、  を備えていることを特徴とする表示装置。
【発明の詳細な説明】
【技術分野】
【０００１】
この発明は、液晶プロジェクタ等の表示装置に関する。
【背景技術】
【０００２】
液晶プロジェクタが外部映像機器から画像を取得して、その画像を表示する場合、液晶プロジェクタの映像入力端子に入力された映像信号を液晶パネルに書き込んでいる。
【０００３】
液晶プロジェクタを用いてプレゼンテーションを行う場合、プレゼンテーション用の補足資料として、紙によるハードコピーを用意して、聴講者に配布するといったことが一般的に行われている。
【０００４】
また、液晶プロジェクタを用いたプレゼンテーションを終了した後において、プレゼンテーションで提示された画面内容を資料として聴講者が要望することがある。このような要望に答えるために、従来は、プレゼンテーションの発表者（または主催者）が、プレゼンテーションで提示された画面内容のハードコピーを聴講者に手渡したり、プレゼンテーションで提示された画面内容の画像ファイルを電子メールによって聴講者に送付したりしている。このような方法で聴講者に画面内容を配布として与えることは、プレゼンテーションの発表者（または主催者）にとって、大変煩わしい作業となっている。
【発明の開示】
【発明が解決しようとする課題】
【０００５】
この発明は、プレゼンテーションで提示された画面内容を、聴講者に容易に配布することができる表示装置を提供することを目的とする。
また、この発明は、携帯型電話機に保持されている画像を容易に表示させることができる表示装置を提供することを目的とする。
【課題を解決するための手段】
【０００６】
請求項１に記載の発明は、表示されている画像データを記憶している記憶手段、赤外線通信機能付きの携帯型電話機と赤外線通信を行うための赤外線インターフェイス、および赤外線インターフェイスを介して赤外線通信機能付きの携帯型電話機から画像伝送要求コマンドを受信したときに、上記記憶手段に記憶されている画像データを赤外線インターフェイスを介して赤外線送信させる手段を備えていることを特徴とする。
【０００７】
請求項２に記載の発明は、赤外線通信機能付きの携帯型電話機と赤外線通信を行うための赤外線インターフェイス、および赤外線インターフェイスを介して赤外線通信機能付きの携帯型電話機から画像受信要求コマンドを受信した後に、赤外線インターフェイスを介して上記赤外線通信機能付きの携帯型電話機から画像データが送られてきたときに、当該画像を受信して表示させる手段を備えていることを特徴とする。
【発明の効果】
【０００８】
この発明によれば、プレゼンテーションで提示された画面内容を、聴講者に容易に配布することができるようになる。
【０００９】
また、この発明によれば、携帯型電話機に保持されている画像を表示装置によって容易に表示させることができるようになる。
【発明を実施するための最良の形態】
【００１０】
以下、図面を参照して、この発明を液晶プロジェクタに適用した場合の実施例について説明する。
【実施例１】
【００１１】
図１は、液晶プロジェクタの構成を示している。
【００１２】
液晶プロジェクタ１０に外部入力されたＰＣアナログ信号は、Ａ／Ｄ変換部４でデジタル信号に変換された後、スケーラ・フォーマット変換部５の作業用ＤＲＡＭ１２に一時的に保存される。作業用ＤＲＡＭ１２に一時的に保存されたデジタル信号は、スケーラ・フォーマット変換部５によって画像の縮小処理や拡大処理が行われた後、デジタルガンマ補正回路およびサンプル＆ホールド回路を含むＬＣＤドライブ処理部６を介してＬＣＤパネル７に書き込まれて、表示される。
【００１３】
スケーラ・フォーマット変換部５には、画像保存用のＦＬＡＳＨメモリ１１が接続されている。また、スケーラ・フォーマット変換部５およびＦＬＡＳＨメモリ１１には、ＦＬＡＳＨメモリ１１から読み出された画像のフォーマットをＩｒＭＣ(Infra-red Mobile Communication)に準拠したフォーマット（ＩｒＭＣフォーマット）に変換するためのＩｒＭＣモジュール１３が接続されている。
【００１４】
ＩｒＭＣモジュール１３には、ＩｒＭＣモジュール１３によってＩｒＭＣフォーマットに変換された画像を、ＩｒＭＣに対応した赤外線インターフェイスを備えた携帯型電話機（以下、ＩｒＭＣ搭載の携帯型電話機という）２０に、ワイヤレスで赤外線送信するための、汎用ＩｒＤＡトランシーバ１４が接続されている。ＩｒＭＣモジュール１３と汎用ＩｒＤＡトランシーバ１４とによって、赤外線インターフェイスが構成されている。
【００１５】
制御用マイコン８は、液晶プロジェクタ１０内の各回路を制御する。制御用マイコン８には、リモコン送信機または本体に設けられた操作部からの信号が送られる。
【００１６】
ＩｒＭＣ搭載の携帯型電話機２０には、液晶プロジェクタ１０に対して制御コマンドを送信するとともに液晶プロジェクタ１０から画像データ等を受信するためのソフトウエアが搭載されている。
【００１７】
この実施例では、例えば、液晶プロジェクタ１０を使用してプレゼンテーションを行っている場合において、液晶プロジェクタ１０によって表示されている画像であって、操作者が携帯型電話機２０に提供してもよいと判断した画像を、携帯型電話機２０に提供することが可能となっている。
【００１８】
つまり、例えば、液晶プロジェクタ１０を使用してプレゼンテーションを行っている場合において、液晶プロジェクタ１０によって表示されている画像を携帯型電話機２０に提供してもよいと操作者が判断した場合には、操作者はリモコン送信機または本体に設けられた操作部を操作することによって、画像提供準備指令を制御用マイコン８に入力させる。
【００１９】
画像提供準備指令が入力されると、制御用マイコン８は、スケーラ・フォーマット変換部５の作業用ＤＲＡＭ１２に保存されている画像データを、スケーラ・フォーマット変換部５によって携帯型電話機２０のメモリ領域および表示領域に適合するように縮小処理させるとともに、得られた画像をＦＬＡＳＨメモリ１１に一時的に保存する。
【００２０】
携帯型電話機２０の所持者は、液晶プロジェクタ１０によって表示されている画像を取得したい場合には、携帯型電話機２０を操作することにより、携帯型電話機２０から”画像伝送要求コマンド”を赤外線インターフェイスを介して赤外線送信させる。
【００２１】
この”画像伝送要求コマンド”は、液晶プロジェクタ１０の汎用ＩｒＤＡトランシーバ１４およびＩｒＭＣモジュール１３を介して制御用マイコン８によって受信される。制御用マイコン８は、携帯型電話機２０からの赤外線送信された”画像伝送要求コマンド”を受信すると、ＦＬＡＳＨメモリ１１に保存されている画像データを、ＩｒＭＣモジュール１３に転送し、ＩｒＭＣモジュール１３によってその画像データをＩｒＭＣフォーマットの画像データに変換させる。そして、得られた画像データを汎用ＩｒＤＡトランシーバ１４から赤外線送信させる。上記携帯型電話機２０は、液晶プロジェクタ１０から赤外線送信された画像データを受信する。
【００２２】
なお、スケーラ・フォーマット変換部５の作業用ＤＲＡＭ１２に保存されている画像データを縮小処理させてＦＬＡＳＨメモリ１１に保存させる際に、プレゼンテータのインターネット上のホームページのＵＲＬや連絡先電話番号等のテキスト情報を当該画像データに付加し、”画像伝送要求コマンド”の受信に応答して、画像データとともに付加情報を赤外線送信させるようにしてもよい。このようにすると、携帯型電話機２０は、画像データとともに付加情報をも取得できるので、携帯型電話機２０の所持者はプレゼンテータのインターネット上のホームページや連絡先をも知ることができるようになる。
【００２３】
液晶プロジェクタとしては、図１に示すような構成を有するものの他、図２または図３に示すような構成を有するものでもよい。
【００２４】
図２に示す液晶プロジェクタでは、外部機器からＰＣデジタルＲＧＢ信号が入力される。入力されたＰＣデジタルＲＧＢ信号は、ＤＶＩレシーバ１５を介してスケーラ・フォーマット変換部５に入力される。その他の構成は、図１と同じである。
【００２５】
図３に示す液晶プロジェクタでは、外部機器からアナログビデオ信号が入力される。入力されたアナログビデオ信号は、Ｙ／Ｃ分離回路１６で輝度信号と色信号に分離され、ビデオデコーダ１７に入力される。制御用マイコン８は、ビデオデコーダ１７から信号の有無、カラーシステム等を受信し、それに応じた制御データをビデオデコーダ１７に送信する。ビデオデコーダ１７は、入力信号をＲＧＢ信号に変換して出力する。ビデオデコーダ１７から出力されたＲＧＢ信号は、Ａ／Ｄ変換部４でデジタル信号に変換された後、スケーラ・フォーマット変換部５に送られる。その他の構成は、図１と同じである。
【００２６】
上記実施例によれば、プレゼンテーションの発表者は、プレゼンテーション用の補足資料の配布作業の手間を省くことができる。
【実施例２】
【００２７】
図４は、液晶プロジェクタの構成を示している。図４において、図１と同じものには同じ符号を付してその説明を省略する。
【００２８】
図４の液晶プロジェクタにおいても、ＩｒＭＣモジュール１３と汎用ＩｒＤＡトランシーバ１４とによって、赤外線インターフェイスが構成されている。
【００２９】
この実施例における液晶プロジェクタ１０は、ＩｒＭＣ搭載の携帯型電話機２０から画像データを取得して表示させる機能を備えている。
【００３０】
ＩｒＭＣ搭載の携帯型電話機２０には、液晶プロジェクタ１０に対して制御コマンドや画像データを送信するためのソフトウエアが搭載されている。
【００３１】
携帯型電話機２０の所持者は、携帯型電話機２０に保持されている画像を液晶プロジェクタ１０に提供して表示させたいときには、携帯型電話機２０を操作することにより、携帯型電話機２０から”画像受信要求コマンド”を赤外線インターフェイスを介して赤外線送信させる。続いて、携帯型電話機２０を操作することにより、携帯型電話機２０から、液晶プロジェクタ１０に提供すべき画像データ（ＩｒＭＣフォーマットの画像データ）を赤外線インターフェイスを介して赤外線送信させる。
【００３２】
携帯型電話機２０から赤外線送信された”画像受信要求コマンド”は、液晶プロジェクタ１０の汎用ＩｒＤＡトランシーバ１４およびＩｒＭＣモジュール１３を介して制御用マイコン８によって受信される。制御用マイコン８は、携帯型電話機２０からの赤外線送信された”画像受信要求コマンド”を受信すると、ＩｒＭＣモジュール１３を画像受信待機状態にさせる。
【００３３】
この後、携帯型電話機２０から赤外線送信されたＩｒＭＣフォーマットの画像データは、液晶プロジェクタ１０の汎用ＩｒＤＡトランシーバ１４を介してＩｒＭＣモジュール１３によって受信される。ＩｒＭＣモジュール１３は、受信したＩｒＭＣフォーマットの画像データを、スケーラ・フォーマット変換部５で処理できるフォーマットの画像データに変換した後、ＦＬＡＳＨメモリ１１に保存される。ＦＬＡＳＨメモリ１１に保存された画像データは、スケーラ・フォーマット変換部５で拡大処理された後、ＬＣＤドライブ処理部６を介してＬＣＤパネル７に書き込まれて、表示される。
【００３４】
上記実施例によれば、携帯型電話機に保持されている画像を液晶プロジェクタによって表示させる際、携帯型電話機に保持されている画像を一旦ＰＣに転送する必要がなくなるので、ケーブル等の接続など煩わしい作業を行わなくて済むようになる。
【図面の簡単な説明】
【００３５】
【図１】第１実施例の液晶プロジェクタの構成を示すブロック図である。
【図２】第１実施例の変形例を示すブロック図である。
【図３】第１実施例の他の変形例を示すブロック図である。
【図４】第２実施例の液晶プロジェクタの構成を示すブロック図である。
【符号の説明】
【００３６】
５  スケーラ・フォーマット変換部
８  制御用マイコン
１０  液晶プロジェクタ
１１  ＦＬＡＳＨメモリ
１３  ＩｒＭＣモジュール
１４  汎用ＩｒＤＡトランシーバ
２０  携帯型電話機
【図１】
2005217460.tif 000003
【図２】
2005217460.tif 000004
【図３】
2005217460.tif 000005
【図４】
2005217460.tif 000006